(57)【特許請求の範囲】
【請求項１】
電子機器に組み込まれ、当該電子機器の設置状態を検出する設置状態検出装置であって、
前記電子機器の筐体の１の面に取り付けられている当該電子機器の動作時に稼働する１のデバイスと、
前記１の面と隣接して直交する他の面に取り付けられている当該電子機器の動作時に稼動する他のデバイスと、
当該デバイスの動作環境を電気的に検出する検出手段と、
前記検出手段の検出結果に基づいて前記電子機器の設置状態を判断する判断手段と、
を具備し、
前記デバイスは、
前記電子機器の動作中に当該電子機器内部を冷却するためのファンであることを特徴とする設置状態検出装置。
【発明の詳細な説明】
【技術分野】
【０００１】
本願は、例えば電子機器の設置状態を検出するための設置状態検出装置の技術分野に関する。
【背景技術】
【０００２】
従来、例えば、ＣＤやＤＶＤ等の光学媒体に記録された情報データを再生するための情報再生装置等の電子機器は、赤外線を利用したリモコン信号の受信面がユーザと対向するように設置する等、設置方向が規定されている。通常、電子機器は、その適切な動作を保証するため、縦置き、横置き等の設置方法も規定されている。近年、電子機器は、ユーザの使用態様に従って、縦置き、横置き等の設置方法を変更できる電子機器も登場しているが、そのような電子機器であっても、赤外線は指向性をもつため、リモコン信号の受信面はユーザと対向するように設置しなければならない。【０００３】
また、このような赤外線の受信環境をより向上させるために、複数のリモコン受信部を有する電子機器が知られており、例えば、ユーザと対向する電子機器の正面にリモコンから発信されるリモコン信号を受信するための複数の受信部を備えた電子機器が存在する（特許文献１）。【０００４】
この電子機器は、複数の受信部のうちから通信状況が良好な一の受信部を自動的に選択して通信を実行することが可能である。【０００５】
【特許文献１】特開平３−６２６３７号公報
【発明の開示】
【発明が解決しようとする課題】
【０００６】
しかしながら、このような従来の電子機器は、電子機器本体の同一面上に複数の受信面が配されているので、必ず決まった面をユーザと対向する方向に設定する必要が生じ、電子機器の設置状態の自由度が限定される。【０００７】
すなわち、従来の電子機器にあっては、リモコンとの通信環境は改善することができるが、当該電子機器は、リモコン受光部を必ずユーザと対向する位置に設置しなければならず、当該電子機器の設置状態が制限されてしまう。【０００８】
そこで、本願は上記各問題点の解決を課題の一例として為されたもので、設置状態が制限されず、かつ、容易に電子機器本体の設置状態を検出可能な設置状態検出装置を提供することを目的とする。
【課題を解決するための手段】
【０００９】
上記課題を解決するために、請求項１に記載の設置状態検出装置は、電子機器に組み込まれ、当該電子機器の設置状態を検出する設置状態検出装置であって、前記電子機器の筐体の１の面に取り付けられている当該電子機器の動作時に稼働する１のデバイスと、前記１の面と隣接して直交する他の面に取り付けられている当該電子機器の動作時に稼動する他のデバイスと、当該デバイスの動作環境を電気的に検出する検出手段と、前記検出手段の検出結果に基づいて前記電子機器の設置状態を判断する判断手段と、を具備し、前記デバイスは、前記電子機器の動作中に当該電子機器内部を冷却するためのファンであることを特徴とする。
【図面の簡単な説明】
【００１２】
【図１】情報再生装置の外観及びセンサの取り付け状態を示し、図１（ａ）は横置きの状態図、図１（ｂ）は縦置きの状態図である。
【図２】情報再生装置の内部構成図である。
【図３】ユーザがリモコン装置により情報再生装置を制御した場合における設置状態検出処理を示すフローチャートである。
【符号の説明】
【００１３】
１  情報再生装置
２ａ  筐体
１１  第１受光部
１２  第２受光部
１３  レベル検出部
１４  判定処理部
【発明を実施するための最良の形態】
【００１４】
以下、本願の最良の実施形態について、図１乃至図３を用いて詳細に説明する。なお、以下に説明する実施の形態は、本願の設置状態検出装置を電子機器に適用した場合の実施形態である。なお、本願の電子機器とは、ＣＤ（Compact Disc）やＤＶＤ（Digital Versatile Disc）等の光学媒体（光ディスクプレーヤ）を用いた情報再生装置等の電子機器に好適に適用されるものであるが、これに限定されるものではない。【００１５】
まず、図１および図２を用いて情報再生装置の構成について説明する。なお、図１は情報再生装置の外観及びセンサの取り付け状態を示し、図１（ａ）は横置きの状態図、図１（ｂ）は縦置きの状態図、図２は情報再生装置の内部構成図である。【００１６】
情報再生装置１は、図１及び図２に示すように、扁平型の筐体２ａからなる情報再生装置本体２を有する。この情報再生装置１は、赤外線を受光するための第１受光部１１と、第２受光部１２と、第１受光部、または第２受光部のいずれか一方により検出された信号の強弱等の信号レベルを検出するためのレベル検出部１３と、情報再生装置１の設置状態を判定するための判定処理部１４と、リモコン信号のみを検出する際に用いる所定の情報及び情報再生装置１の設置状態を検出する際に用いる所定の情報を記憶するための記憶部１５と、ユーザによって操作されたリモコンからの信号（以下、「リモコン信号」と称する。）のみを検出するためのＩＲ（Infrared）処理部１６と、設置状態を切り替えるための設置状態切替部１７と、発熱部品を含む電子部品が配置された基板、電源等の情報再生装置を駆動するための部品を有するハードウェア部１８と、ユーザが操作するための操作部１９と、当該情報再生装置１の稼働状態を表示するための表示部２０と、各部を制御するためのシステム制御部２１と、を備えて構成されており、第１受光部１１、第２受光部１２、レベル検出部１３、判定処理部１４、記憶部１５、ＩＲ処理部１６、設置状態切替部１７、ハードウェア部１８、操作部１９、表示部２０、及びシステム制御部２１は、バス２２を介して電気的に接続されている。【００１７】
なお、例えば、本実施形態の第１、及び第２受光部１１、１２は、本発明のデバイスを構成し、本実施形態のレベル検出部１３は、本発明の検出手段を構成する。また、例えば、本実施形態の判定処理部１４は、本発明の判断手段を構成し、本実施形態のシステム制御部２１は、本発明の制御手段を構成する。【００１８】
情報再生装置本体２の正面には、図１に示すように、表示部２０としての表示パネル２０ａと、操作部１９としての操作ボタン１９ａや例えば、ロータリーエンコーダのような各種操作トグル１９ｂと、光学媒体をドライブに挿入するためのドライブ挿入部１８ａと、ユーザによって操作されるリモコン装置から赤外線によって送信された制御信号を受光するための第１受光部１１の受光面１１ａが所定位置に配置されて取り付けられている。また、情報再生装置本体２の底面には、第２受光部１２の受光面１２ａが所定位置に配置されて取り付けられている。【００１９】
第１受光部１１及び第２受光部１２は、赤外線を受光するためのセンサとして機能する。例えば、第１受光部１１及び第２受光部１２は、赤外線用受光素子により構成され、ユーザによって操作されるリモコン装置（図示せず）からの赤外線を受光し当該赤外線によって送信されたリモコン信号を受信するとともに、当該受信したリモコン信号をレベル検出部１３、及びＩＲ処理部１６に出力する。【００２０】
なお、第１受光部１１及び第２受光部１２は、上記リモコン信号以外に蛍光灯やテレビから発信される信号も雑音信号として受信する。【００２１】
レベル検出部１３は、第１受光部１１または第２受光部１２の少なくとも何れか一方から入力される信号を受信するとともに、受信した信号の強弱（以下、「レベル」と称する。）を電気的数値に変換し、当該変換された数値を各受光部１１、１２のレベルを示す情報として判定処理部に出力する。【００２２】
判定処理部１４は、後述するように記憶部１５に記憶されている第1、及び第２受光部１１、１２と情報再生装置１の設置状態の関係を示す参照テーブルを参照して、情報再生装置１の設置状態を判断し、システム制御部２１に出力する。また、判定処理部１４は、電源が入っているか否かを判断し、システム制御部２１に出力する。【００２３】
記憶部１５には、蛍光灯やテレビから発信される雑音（ノイズ）信号やリモコンから発信されるリモコン信号の識別符号（波形等）、及び、第１受光部１１と第２受光部１２と情報再生装置１の設置状態の関係を示す参照テーブルが予め記憶される。【００２４】
なお、この識別符号は、第１受光部１１及び第２受光部１２により受信される種々の信号のうちＩＲ処理部１６によってリモコン信号のみを検出する際に記憶部１５から読み出される。【００２５】
また、参照テーブルは、レベル検出部１３により検出されたレベルが高い方の第１受光部１１または第２受光部１２に基づいて情報再生装置１の設置状態を判断する際に記憶部１５から読み出される。【００２６】
ＩＲ処理部１６は外部から受光する赤外線のうちユーザからのリモコン信号のみを検出するための処理を行う。具体的には、ＩＲ処理部１６は、レベル検出部１３により検出された結果を示す情報を受信し、記憶部１５に記憶されたリモコン信号の識別符号を抽出し、判断処理部１４によって当該レベル検出部により検出された情報と識別符号とを比較してリモコン信号のみを検出する。【００２７】
設置状態切替部１７は、情報再生装置１の設置状態が横置き状態を示すＳＷ１と縦置き状態を示すＳＷ２とを備え、判定処理部１４により判定された結果に基づいて当該ＳＷ１またはＳＷ２のいずれか一方にスイッチを切り替える。【００２８】
なお、このＳＷ１及びＳＷ２は、例えば、他の制御基板（図示せず）と接続されており、他の制御基板は、情報再生装置１の設置状態に基づいて、何らかの制御を行うようになっている。また、他の制御基板は、例えば、情報再生装置１の設置状態に基づいて、表示部２０の表示状態を切り替えるようになっており、ユーザの設置状態（縦置き、横置き）に関わらず、表示部２０に表示される情報を最適になるよう各部を制御するようになっている。【００２９】
ハードウェア部１８は、情報再生装置１が本来的に有する機能を実現するためのハードウェアから構成された要素であり、バス２２によって接続されたシステム制御部２１の制御の下、各種の動作を実行する。このハードウェア部１８は、電子機器の種類によって異なる種類のハードウェアにて構成され、異なった動作を行うものである。【００３０】
例えば、本実施形態の場合、このハードウェア部１８は、光ディスク等の光記録媒体を駆動するためのドライブや音声処理装置等のハードウェアによって構成されており、入力されたオーディオデータに対する信号処理を行い、これをＤ／Ａ変換して増幅した後、スピーカ等の出力装置に出力する動作を行うこととなる。【００３１】
操作部１９は、例えば、再生キー、停止キー、早送り・巻き戻しキー等の各種コマンドを指定するための操作ボタン１９ａや各種ソース切替、音量調整用のトグル１９ｂを有し、当該操作ボタン１９ａの押下、トグル１９ｂの回動によるユーザからの指示を受け付けその指示信号をハードウェア部１８に出力する。【００３２】
表示部２０は、例えば、ＥＬ（Electro Luminescence）素子から構成されるパネルまたは液晶パネルなどの表示パネル２０ａを有し、ハードウェア部１８から出力された各種情報を当該表示パネル２０ａに表示する。【００３３】
システム制御部２１は、演算機能を有するＣＰＵ（Central Processing Unit）、作業用ＲＡＭ、及び各種処理プログラムやデータを記憶するＲＯＭを備えている。このシステム制御部２１は、ＲＯＭに記憶された各種処理プログラムを実行することにより、コンピュータとして情報再生装置１の全体を統括制御する。【００３４】
特に、本実施形態では、システム制御部２１は、ユーザからリモコン装置により発信される情報再生装置１の各動作を制御するための信号である赤外線を第１受信部１１又は第２受信部１２の何れか一つが受信した場合にレベル検出部１３により当該受信した信号のレベルを比較させるとともに、判定処理部１４によりレベルが高い方の第１受信部１１又は第２受信部１２の何れか一つを検出させ、当該検出結果に基づいて情報再生装置１の設置状態を判断させる（以下、この処理を「設置状態検出処理」と称する。）。【００３５】
そして、システム制御部２１は、当該設置状態に基づいて、設置状態切換部１７の情報再生装置１の設置状態を切り替えるスイッチ（ＳＷ１、ＳＷ２）を切り替える。【００３６】
また、システム制御部２１は、ハードウェア部１８によって、ユーザにより選択される操作ボタン１９ａ、又はリモコン装置によるユーザからの指示信号に基づいてドライブを駆動する。そして、システム制御部２１は、ハードウェア部１８によって、ドライブから出力される信号、例えば、モニタからの映像表示やスピーカからの音声出力をするための信号を受信し、その信号をモニタやスピーカへ転送する。【００３７】
次に、図３を用いて情報再生装置１のシステム制御部２１における設置状態検出処理について説明する。【００３８】
なお、図３はユーザがリモコン装置（図示せず）により情報再生装置１を制御した場合における設置状態検出処理を示すフローチャートである。また、情報再生装置１は、初期設定として、情報再生装置１の設置状態が横置きである場合は第１受光部１１がユーザの方向を向くものとし、情報再生装置１の設置状態が縦置きである場合は第２受光部１２がユーザの方向を向くものとする。【００３９】
以下の説明において、本動作では、この処理において、ユーザにより操作されるリモコン装置からのリモコン信号は第１受光部１１、または第２受光部１２のうち何れか一方へ必ず入力されるものとし、初期設定として、システム制御部２１は設置状態切換部１７のスイッチをＳＷ１に設定（切り替える）する（ステップＳ１０１）。また、本願の設置状態検出処理は、電源投入後または電源投入後所定の時間が経過して当該情報再生装置１が待機状態となった際に行なわれるようになっている。【００４０】
まず、第１受光部１１または第２受光部１２の何れか一つによって何らかの信号を受信すると、システム制御部２１は、第１受光部１１または第２受光部１２の何れか一つに受信された信号をレベル検出部１３へ出力させる（ステップＳ１０２）。【００４１】
なお、第１受光部１１または第２受光部１２の何れか一つによって受信される信号はリモコン信号に限られず、雑音信号も含まれる。【００４２】
次いで、レベル検出部１３によって第１受光部１１からの信号を受信すると、システム制御部２１は、受信した信号レベル（以下、「Ｌ１」と称する。）を検出させる（ステップＳ１０３）。また、レベル検出部１３によって第２受光部１２からの信号を受信すると、システム制御部２１は、受信した信号レベル（以下、「Ｌ２」と称する。）を検出させる（ステップＳ１０４）。【００４３】
そして、システム制御部２１は、判定処理部１４に、レベル検出部１３により検出した信号レベルＬ１と信号レベルＬ２を比較させ、当該比較した結果を情報としてＩＲ処理部１６に出力させる（ステップＳ１０５）。【００４４】
なお、比較した結果を示す情報には、信号レベルが高い信号の信号情報、すなわち、Ｌ１またはＬ２と、当該信号情報を検出した第１受光部１１または第２受光部１２のいずれか一つの名称を示す情報が含まれる。また、当該信号情報には、ヘッダ部分に当該信号の波形等の識別符号が含まれる。【００４５】
次いで、ＩＲ処理部１６に比較した結果を示す情報を出力させ、Ｌ１の信号レベルがＬ２の信号レベルよりも高い場合には、システム制御部２１は、ＩＲ処理部１６に第１受光部１１により受信した信号のヘッダ部分の識別符号（以下、「ＳＩＤ１」と称する。）を抽出させる（ステップＳ１０６）。【００４６】
一方、システム制御部２１は、ＩＲ処理部１６に記憶部１５に記憶されているリモコン装置から発信されるリモコン信号の識別符号（以下、「ＲＩＤ」と称する。）を抽出させる（ステップＳ１０７）。【００４７】
次いで、システム制御部２１は、判定処理部１４にＩＲ処理部１６により抽出した識別符号ＳＩＤ１と識別符号ＲＩＤとを比較させ、当該識別符号が同一であるか否かを判断させる（ステップＳ１０８）。【００４８】
そして、当該識別符号が同一であれば、システム制御部２１は、その結果に基づいて設置状態切換部１７のスイッチをＳＷ１に設定させる（ステップＳ１０９）。【００４９】
これにより、第１受光部１１で受信した信号がリモコン信号であることを検出できるとともに、情報再生装置１の設置状態が横置きであることを検出できる。【００５０】
一方、ステップＳ１０８において、識別符号が同一でなければ、システム制御部２１は、ステップＳ１０２に戻って処理を続けさせる。【００５１】
次いで、システム制御部２１は、判定処理部１４に、電源が入っているか否かを判断させ（ステップＳ１１４）、電源が入っている場合には、ステップＳ１０２に戻って処理を続けさせる。また、ステップＳ１１４において、電源が入っていない場合には処理が終了する。【００５２】
他方、ステップＳ１０５において比較した結果を示す情報をＩＲ処理部１６に出力させ、Ｌ２の信号レベルがＬ１の信号レベルよりも高い場合には、システム制御部２１は、ＩＲ処理部１６に第２受光部１２により受信した信号のヘッダ部分の識別符号（以下、「ＳＩＤ２」と称する。）を抽出させる（ステップＳ１１０）。【００５３】
また、システム制御部２１は、ＩＲ処理部１６に記憶部１５に記憶されているリモコン装置から発信されるリモコン信号の識別符号（以下、「ＲＩＤ」と称する。）を抽出させる（ステップＳ１１１）。【００５４】
次いで、システム制御部２１は、判定処理部１４にＩＲ処理部１６により抽出した識別符号ＳＩＤ２と識別符号ＲＩＤとを比較させ、当該識別符号が同一であるか否かを判断させる（ステップＳ１１２）。【００５５】
そして、当該識別符号が同一であれば、システム制御部２１は、設置状態切換部１７のスイッチをＳＷ２に設定させる（ステップＳ１１３）。【００５６】
これにより、第２受光部１２で受信した信号がリモコン信号であることを検出できるとともに、情報再生装置１の設置状態が縦置きであることを検出できる。【００５７】
一方、ステップＳ１１２において、識別符号が同一でなければ、システム制御部２１は、ステップＳ１０２に戻って処理を続けさせる。【００５８】
次いで、システム制御部２１は、判定処理部１４に、電源が入っているか否かを判断させ（ステップＳ１１４）、電源が入っている場合には、ステップＳ１０２に戻って処理を続けさせる。また、ステップＳ１１４において、電源が入っていない場合には処理が終了する。【００５９】
以上に説明したように、本実施形態の本願の情報再生装置１は、当該情報再生装置１に組み込まれるとともに、当該情報再生装置１の設置状態を検出するために用いられ、当該デバイスの動作環境を電気的に検出するレベル検出部１３と、当該情報再生装置１に組み込まれるとともに、当該情報再生装置１の設置状態を検出するために用いられ、レベル検出部１３の検出結果に基づいて情報再生装置１の設置状態を判断する判定処理部１４と、情報再生装置１の筐体の異なる位置に取り付けられている当該電子機器の動作時に稼働する第１受光部１１及び第２受光部１２と、検出された設置状態に基づいて情報再生装置１の動作を制御するシステム制御部２１と、を備えている。【００６０】
この構成により、本願の設置状態検出装置１は、第１受光部１１または第２受光部１２の何れかの動作環境を電気的に検出するとともに、当該検出結果に基づいて情報再生装置１の設置状態を判断し、検出された設置状態に基づいて情報再生装置１の動作を制御する。
したがって、第１受光部１１または第２受光部１２における動作環境に基づいて、情報再生装置１の設置状態を判断することができるので、当該設置状態を的確に判断することができるとともに、当該検出結果に基づいて、表示部または操作部などの各種の設置状態により変更される設定を、情報再生装置１の設置状態を勘案して適切に切り換えさせることが可能になる。【００６１】
この結果、設置状態に制限されず、簡易な構成により、設置状態を検出することができる情報再生装置１を提供することができる。【００６２】
また、本実施形態の本願の情報再生装置１は、レベル検出部１３により検出された結果を示す情報を受信し、記憶部１５に記憶されたリモコン信号の識別符号を抽出し、判断処理部１４によって当該レベル検出部により検出された情報と識別符号とを比較してリモコン信号のみを検出するＩＲ処理部１６を備えている。【００６３】
この構成により、雑音信号のみを排除してリモコン信号のみを検出できる。したがって、雑音信号が特定の受光部へ強く入ってくるような状況下であっても安定してリモコン信号のみの強弱レベルで情報再生装置１の設置状態を判断できるので、当該情報再生装置１の設置状態の検出精度はより向上する。【００６４】
また、前記第１及び第２受光部１１、１２の代わりに、前記情報再生装置１の動作中に当該情報再生装置１の内部を冷却するためのファンを使用してもよい。さらに、前記第１及び第２受光部１１、１２の代わりに、前記電子機器を操作するための操作ボタンを使用してもよい。【００６５】
このように、リモコン装置から発信されるリモコン信号のレベルを検出する代わりに、ファンや操作ボタンを利用して、ファンに供給される電流値、またはユーザによる操作ボタンの操作を検出することにより、ファンや操作ボタンの取り付け状態から情報再生装置１の設置状態を容易に検出できる。【００６６】
なお、本実施形態において、動作時とは、情報再生装置１がオーディオデータなどの再生装置として稼働する状態のみならず、情報再生装置１の主電源が入力されて各動作を待機している待機状態の場合も含まれる。【００６７】
また、上記設置状態検出処理において、リモコン装置から発信されるリモコン信号のレベルを検出する代わりに、例えば、情報再生装置の内部の一側面と、当該一側面と異なる面に開口部を設けるとともに、情報再生装置１の動作中に情報再生装置１の内部を冷却するためのファンを取り付け、当該ファンに流れる電流値のレベルを検出するようにしてもよい。また、ファンが取り付けられた位置に対応する筐体２ａには開口が設けられている。【００６８】
この場合に、情報再生装置１の設置状態によっては、一方の開口が塞がるので、一方の開口が塞がると当該開口に対応するファンには空気抵抗が加わり当該ファンに供給される電流値が上がる。したがって、この作用を利用すれば、各ファンの電流値は情報再生装置１の設置状態によって変わるので、当該電流値のレベルを検出することにより、上記センサのレベルを検出して情報再生装置１の設置状態を検出できるのと同様に、情報再生装置１の設置状態を検出できる。【００６９】
また、上記設置状態検出処理において、リモコン装置から発信されるリモコン信号のレベルを検出する代わりに、例えば、情報再生装置１の外部の一側面と、当該一側面と異なる面に操作ボタンを取り付け、当該一方の操作ボタンが操作されたことを検出するようにしてもよい。このようにすれば、ユーザが操作ボタンにより電子機器を操作すれば、必然的に操作ボタンが取り付けられている面がユーザと対向するので情報再生装置１の設置状態が検出できる。【００７０】
また、上記センサ、ファン、操作ボタンを複合して用い、情報再生装置１の設置状態を検出できるようにしてもよい。さらに、本実施形態の情報再生装置１は箱状の筐体２ａで形成されているが、側面が曲面で形成された円形状であっても構わない。【００７１】
また、本実施形態では、ＩＲ処理部１６でリモコン信号のみを検出するようにしているが、リモコン信号以外の信号（雑音信号）を検出して当該雑音信号を排除するようにしても構わない。【００７２】
また、従来においては情報再生装置の縦横位置を検出するのに専用の検出装置・検出素子等を使っていたものを、本実施形態によればリモコン受光用の素子自体の信号を活用でき、従来必要であった専用の検出装置、検出素子を削除することができる。
【図１】
0004372792.tif 000002
【図２】
0004372792.tif 000003
【図３】
0004372792.tif 000004